(57)【要約】      （修正有）【課題】刃部材の取付具の損傷や破損が抑制されうる草刈り刃用の刃部材を提供する。【解決手段】草刈り刃の回転アーム２に、取付具４によって取り付けられる刃部材３であって、本体部と、この本体部の辺部に形成された切り刃１０と、本体部に形成された、回転アーム２に取り付けるために、取付具４が挿通されうる第一取付け孔１３と、本体部の外面における第一取付け孔１３の周囲にわたって形成された凹所１７とを備えており、取付具４の端部の少なくとも一部分が、凹所１７内に位置している。【選択図】図４
0003178140.tif 000002
【実用新案登録請求の範囲】
【請求項１】
草刈り刃の回転アームに、取付具によって取り付けられる刃部材であって、
本体部と、
この本体部の辺部に形成された切り刃と、
上記本体部に形成された、回転アームに取り付けるために、上記取付具が挿通されうる第一取付け孔と、
上記本体部の外面における上記第一取付け孔の周囲にわたって形成された凹所とを備えており、
上記取付具の端部の少なくとも一部分が、上記凹所内に位置しうる、草刈り刃用の刃部材。
【請求項２】
上記取付具が、上記第一取付け孔に挿通されうるボルト及びナットであり、
上記凹所内に位置する取付具の端部が、ボルトの頭又はナットであり、
上記回転アームの両端における下面に、回動可能に取り付けられるように構成されている、請求項１に記載の草刈り刃用の刃部材。
【請求項３】
上記切り刃が、上記本体部の左右の辺部それぞれに形成されており、
上記凹所が、本体の上下の両外面それぞれに形成されている、請求項１に記載の草刈り刃用の刃部材。
【請求項４】
草刈り機に、回転駆動可能に装着される回転アームと、
この回転アームの端部の下面に装着される刃部材と、
この刃部材を回転アームに取り付けるための取付具とを備えており、
上記刃部材が、請求項１から３のいずれかに記載の刃部材から構成されており、
上記回転アームに、刃部材の本体部に形成された第一取付け孔に対応する第二取付け孔が形成されている、草刈り刃。
【請求項５】
上記取付具が、上記本体部の第一取付け孔及び上記回転アームの第二取付け孔に挿通されうるボルト及びナットであり、
回転アームの上面と、この上面に配置されたボルトの頭及びナットのいずれか一方との間に、ナットカバーが装着されており、
このナットカバーが、その上側に隣接したボルトの頭及びナットのいずれか一方の周囲を覆う周壁部を有しており、この周壁部の肉厚が下端から上端に向けて漸増している、請求項４に記載の草刈り刃。
【考案の詳細な説明】
【技術分野】
【０００１】
本考案は、草刈り機に装着されて使用される草刈り刃、及び、その刃部材に関する。
【背景技術】
【０００２】
草を刈り揃えたり刈り払うために、草刈り機が使用される。草刈り機には、従来、自走式のものと、手押しの歩行式のものとが使用されている。草刈り機には、略水平面内に回転する草刈り刃が備えられている。草刈り刃としては、長尺の板状の回転アームと、この回転アームに取り付けられた刃部材とを有するものが知られている。
【０００３】
刃部材は板状を呈している。刃部材は、回転アームの両端それぞれに、一部が重ね合わされた状態で取り付けられている。上記回転アームの長手方向中心部が、草刈り機の底部に回転駆動可能に取り付けられている。上記刃部材の両側辺には切り刃が形成されている。この刃部材は、回転アームの端部に対し、通常はボルト及びナットからなる取付具によって取り付けられている。このボルトの頭とナットとは、重なり合った刃部材及び回転アームの上面及び下面に突出している。
【０００４】
上記草刈り刃が回転させられると、刃部材によって草が切られ、所定の高さに刈り揃えられる。このとき、回転する草刈り刃に土、石、岩等が当たることがある。この石等は、回転アームの上面及び下面に突出したボルト頭及びナットにも当たりやすい。ボルト頭及びナットには、裁断対象の草木も擦れる。これらにより、ボルト頭及びナットは摩耗しやすい。ボルト頭及びナットが摩耗し、損傷すると、刃部材が回転アームから脱落するおそれがある。
【０００５】
特開２００５−２０４６２５号公報には、上記問題を解消しようとした草刈り機が提案されている。この草刈り機も、長尺の板状の回転ブレード（以下、回転アームという）と、この回転アームの両端の下面に取り付けられた刃部材とを有している。上記刃部材は、取付具としてのボルト及びナットによって回転アームの下面に取り付けられている。この草刈り機においては、回転アームの両端それぞれに、刃部材固定具を土、石、草木等から保護するガード体が設けられている。このガード体は、上記固定具のうち、回転アームの上面に位置するボルト頭又はナットを保護対象としている。このため、ガード体は、回転アームの上面に、上方に向けて突設されている。
【０００６】
しかしながら、回転アームの上面のボルト頭又はナットに較べて、刃部材の下面のボルト頭又はナットが、遙かに土、石、草木等によって摩耗、損傷しやすい。そこで、上記ガード体を回転アームの下面に設けようとすると、刃部材を避ける必要があり、回転アームの両端が大きくなる。また、下方に突出したガード体が、刃部材による草木の裁断の障害となる。ガード体を刃部材の下面に設けた場合にも、同様の問題が生じる。
【先行技術文献】
【特許文献】
【０００７】
【特許文献１】特開２００５−２０４６２５号公報
【考案の概要】
【考案が解決しようとする課題】
【０００８】
本考案は、かかる現状に鑑みてなされたものであり、刃部材を回転アームに取り付けるための取付具の摩耗、損傷を抑制しうる草刈り刃、及び、この草刈り刃用の刃部材の提供をその目的としている。
【課題を解決するための手段】
【０００９】
本考案に係る草刈り刃用の刃部材は、
草刈り刃の回転アームに、取付具によって取り付けられる刃部材であって、
本体部と、
この本体部の辺部に形成された切り刃と、
上記本体部に形成された、回転アームに取り付けるために、上記取付具が挿通されうる第一取付け孔と、
上記本体部の外面における上記第一取付け孔の周囲にわたって形成された凹所とを備えており、
上記取付具の端部の少なくとも一部分が、上記凹所内に位置しうるように構成されている。
【００１０】
好ましくは、この刃部材は、上記回転アームの両端における下面に、回動可能に取り付けられるように構成されており、
上記取付具が、上記第一取付け孔に挿通されうるボルト及びナットであり、
上記凹所内に位置する取付具の端部が、ボルトの頭又はナットである。
【００１１】
好ましくは、上記切り刃が、上記本体部の左右の辺部それぞれに形成されており、上記凹所が、本体の上下の両外面それぞれに形成されている。
【００１２】
本考案に係る草刈り刃は、
草刈り機に、回転駆動可能に装着される回転アームと、
この回転アームの端部の下面に装着される刃部材と、
この刃部材を回転アームに取り付けるための取付具とを備えており、
上記刃部材が、前述したうちのいずれかの刃部材から構成されており、
上記回転アームに、刃部材の本体部に形成された第一取付け孔に対応する第二取付け孔が形成されている。
【００１３】
好ましくは、上記取付具が、上記本体部の第一取付け孔及び上記回転アームの第二取付け孔に挿通されうるボルト及びナットであり、
回転アームの上面と、この上面に配置されたボルトの頭及びナットのいずれか一方との間に、ナットカバーが装着されており、
このナットカバーが、その上側に隣接したボルトの頭及びナットのいずれか一方の周囲を覆う周壁部を有しており、この周壁部の肉厚が下端から上端に向けて漸増している。
【考案の効果】
【００１４】
この草刈り刃及び刃部材によれば、刃部材を回転アームに取り付けるための取付具の摩耗、損傷を抑制することができる。
【図面の簡単な説明】
【００１５】
【図１】図１は、本考案の一実施形態に係る草刈り刃が装着された草刈り機を示す側面図である。
【図２】図２（ａ）は、図１の草刈り機に装着されている草刈り刃を示す正面図であり、図２（ｂ）は、図２（ａ）の草刈り刃の平面図である。
【図３】図３（ａ）は、図２の草刈り刃における刃部材を示す平面図であり、図３（ｂ）は、図３（ａ）の刃部材の側面図であり、図３（ｃ）は、図３（ａ）のＩＩＩ−ＩＩＩ線に沿った断面図である。
【図４】図４（ａ）は、図２の草刈り刃における、回転アームへの刃部材の取り付け状態を示す組み立て前の正面図であり、図４（ｂ）は、図４（ａ）のＩＶ−ＩＶ線に沿って見た平面図である。
【図５】図５は、図２の草刈り刃における、回転アームへの刃部材の取り付け状態を示す組み立て後の正面図である。
【考案を実施するための形態】
【００１６】
以下、適宜図面が参照されつつ、好ましい実施形態に基づいて本考案が詳細に説明される。
【００１７】
図１に示された草刈り機３１には、草刈り刃１を備えられている。この草刈り機３１は、自走式の草刈り機である。上記草刈り刃１は、図示しない手押しの歩行式草刈り機にも装着可能である。草刈り刃１は、草刈り機３１の床から下方に突出した回転駆動装置の回転軸３２に取り付けられている。長尺の草刈り刃１は、その長手方向中央部が、上記回転軸３２に取り付けられている。草刈り刃１は、略水平面内に回転させられる。
【００１８】
図２には、上記草刈り刃１が示されている。草刈り刃１は、長尺帯状の回転アーム２と、この回転アーム２の両端部に装着された刃部材３とを有している。回転アーム２及び草刈り刃１はともに、回転アーム２の長手方向及び幅方向の中心に対して点対称の外形を呈している。しかし、かかる構成には限定されない。
【００１９】
図２（ａ）に示されるように、回転アーム２では、その長手方向の中央領域５が水平にされている。中央領域５の各端部から回転アーム２の各端部にかけての領域は、下方に緩やかに傾斜した傾斜部６にされている。しかし、かかる構成には限定されない。屈曲や湾曲をすることなく直線的な正面視形状を有する回転アームであってもよい。図２（ｂ）に示されるように、回転アーム２には、平面視の中心に、上記回転軸３２に固定するための装着孔７が形成されている。本実施形態に係る草刈り刃１は、平面視で右方向に回転駆動されるが、左回転でもよい。
【００２０】
刃部材３は、取付具４によって回転アーム２に取り付けられている。刃部材３は、回転アーム２の両端の下面に、回転アーム２と一部重なり合った状態で取り付けられている。刃部材３は、回転アーム２に対して、取付具４回りに回動可能に取り付けられている。従って、刃部材３は、草刈り刃１の回転中に、草木等に衝突することにより回動しうる。また、草刈り刃１の回転が加速減速するときにも、刃部材３は慣性によって回動しうる。この回動する刃部材３により、草木を裁断する効果が向上し、刃部材３等の損傷も軽減する。
【００２１】
図３には、上記刃部材３が示されている。刃部材３は、図３（ａ）に示されるように、略矩形を呈した本体部８を備えている。この本体部８の約１／２の部分（以下、切り刃形成部という）９の左右両辺には、切り刃１０ａ、１０ｂが形成されている。以下、両切り刃をまとめて符号１０でも表すこととする。本体部８のうちの切り刃形成部９以外の部分を基部１１と呼ぶ。各切り刃１０ａ、１０ｂは、切り刃形成部９の先端部９ａに向けて、弧状に外方へ湾曲している。この形状の切り刃１０により、草刈り刃１の回転中に草木に当接したとき、この草木を切り刃１０から容易には離脱させない効果（保持効果）を奏する。その結果、草木を裁断する効果が向上する。
【００２２】
刃部材３は、その幅方向の中心を通って長手方向に延びる中心線ＣＬに対し、線対称の形状を呈している。刃部材３は、その上下の面を逆にして回転アーム２に取り付けることができる。従って、長期間の使用によって一方の切り刃１０ａが鈍くなったとき、刃部材３をその上下の面を逆にして回転アーム２に取り付けることにより、他方の切り刃１０ｂを使用することができる。しかし、刃部材３は、上記左右各辺に切り刃１０ａ、１０ｂを有する構成には限定されない。一方の辺のみに切り刃が形成されてもよい。
【００２３】
図３に示されるように、切り刃形成部９における両切り刃１０ａ、１０ｂ同士の間には、逃げ部１２が形成されている。逃げ部１２は、切り刃形成部９の上下両面に形成されている。逃げ部１２の平面視形状は、刃部材３の中心線ＣＬに関して線対称にされている。逃げ部１２は、その基部１１側から先端に向けて、幅が増大している。逃げ部１２は、その左右両側辺から中心線ＣＬに向けて、肉厚が漸減している。逃げ部１２は、その基部１１側から先端９ａに向けて、肉厚が漸減している。この逃げ部１２により、刃部材３の重量が軽減され、草木等からの摩擦抵抗力が低減されうる。
【００２４】
刃部材３の基部１１には、その中心線ＣＬ上に、この刃部材３を回転アーム２に取り付けるための第一取付け孔１３が形成されている。この第一取付け孔１３は、その横断面が矩形を呈し、刃部材３を貫通している。この第一取付け孔１３から中心線ＣＬ方向にわずかに離間した位置に、中心線ＣＬを挟んで、２個の第一仮止め孔１４が形成されている。この第一仮止め孔１４も、刃部材３を貫通している。図４及び図５に示されるように、回転アーム２の両端部にもそれぞれ、上記第一取付け孔１３に対応する第二取付け孔１５、及び、上記第一仮止め孔１４に対応する２個の第二仮止め孔１６が形成されている。
【００２５】
上記仮止め孔１４、１６に挿通されたワイヤ等により、刃部材３が回転アーム２に仮止めされる。その後、後述する取付具４により、刃部材３が回転アーム２に回動可能に取り付けられる。基部１１の上下の外面における、上記第一取付け孔１３の周囲には、座ぐりを兼ねた凹所１７が形成されている。この凹所１７は、後述するように、取付具４の摩耗、損傷を抑制する作用を奏する。
【００２６】
図４及び図５には、取付具４による回転アーム２への刃部材３の取り付け状態が示されている。取付具４は、ボルト２１、上ナット２２及び下ナット２３からなる緩み止め機能付きのハードロックナット（登録商標）、スペーサ２４及びナットカバー２５を有している。ハードロックナット（登録商標）に代えて、通常のナット及びロックナット等を用いてもよい。上記スペーサ２４の外径は回転アーム２の第二取付け孔１５の内径よりわずかに小さく、刃部材３の矩形の第一取付け孔１３より大きい。スペーサ２４は、回転アーム２の第二取付け孔１５の内部に挿入されている。スペーサ２４の高さは、回転アーム２の厚さと、刃部材３の凹所１７の深さとを合計した寸法よりわずかに大きい。スペーサ２４の内径は、ボルト２１の外径よりわずかに大きく、ナットカバー２５の内径と略同一である。
【００２７】
ボルト２１は、刃部材３の下側から、その第一取付け孔１３に挿通され、次いで、回転アーム２の第二取付け孔１５の内部のスペーサ２４に挿通される。次いで、ボルト２１に、ナットカバー２５が装着され、下ナット２３及び上ナット２２が螺着される。
【００２８】
図４（ｂ）に示されるように、このボルト２１においては、ネジ棒部２１ａのボルト頭２１ｂ側の基端部に係合部２１ｃが形成されている。この係合部２１ｃは矩形の横断面を有している。ボルト頭２１ｂは部分球状を呈している。このボルト２１は角根丸頭ボルトと呼ばれる。この係合部２１ｃは、刃部材３の矩形の第一取付け孔１３に嵌合しうる。この矩形の係合部２１ｃと矩形の第一取付け孔１３との係合により、刃部材３は、ボルト２１との相対的回転が阻止される。、すなわち、刃部材３と取付具４との相対的回転が阻止される。
【００２９】
図５に示されるように、取付具４によって刃部材３が回転アーム２に取り付けられた状態では、スペーサ２４の上端が回転アーム２の上面よりわずかに上に位置している。ボルト２１とナット２２、２３とは、刃部材３とスペーサ２４とを挟圧し、回転アーム２は挟圧していない。従って、刃部材３は、回転アーム２に対して回動可能となっている。上記角根丸頭ボルトの使用には限定されないが、ボルト頭への石、草木等の衝突による衝撃力が軽減される点で角根丸頭ボルトが好ましい。。
【００３０】
図５に示されるように、刃部材３の上記凹所１７には、ボルト頭２１ｂの一部が入り込んでいる。凹所１７から外方へ突出しているボルト頭２１ｂの部分は、その頂部だけである。従って、草刈り刃１の長期使用によってボルト頭２１ｂが完全に摩滅することはない。また、ボルト頭２１ｂが凹所１７に沈み込んでいることにより、ボルト頭２１ｂが損壊しうる危険域まで摩耗する前に確認することが容易となる。この凹所１７の深さに限定はない。凹所１７は、図４及び図５では浅く画かれているが、深ければ深いほど、ボルト頭２１ｂの保護が充実する。凹所１７は、ボルト頭２１ｂが完全に埋没するような深さであってもよい。
【００３１】
一方、刃部材３における凹所１７の底面同士の間の所定厚さを確保する必要がある。このため、凹所１７の深さを深くするために、基部１１の少なくとも凹所１７の周囲の肉厚が厚くされるのが好ましい。この場合、基部１１の肉厚が部分的に厚くなることによって段差が生じるのは好ましくない。このため、凹所１７の周囲近傍から放射方向外方に向けて肉厚が漸減するように構成されるのが好ましい。例えて言うなら、富士山状、逆すり鉢状等の厚肉部が形成されるのがよい。
【００３２】
前述したような切り刃形成部９の一方の辺のみに切り刃が形成された刃部材であっても、上記凹所１７が基部１１の両面に形成されたものは、右回転用草刈り刃１及び左回転用草刈り刃１のいずれにも採用しうる。一方、一方の辺のみに切り刃が形成された刃部材であって、凹所１７が基部１１の片面にのみ形成されたものは、左右のいずれか一方回転用の草刈り刃１にしか採用され得ない。しかし、この草刈り刃では、刃部材の厚さを薄くすることができる。
【００３３】
図４及び図５に示されるように、上記ナットカバー２５は、ワッシャ部２６と周壁部２７とを有している。ワッシャ部２６は、ナットやボルト頭と接する部位であり、円輪板状を呈している。周壁部２７は、ワッシャ部２６の上に位置したボルト頭、ナットの類の周囲を覆う部位である。周壁部２７は、ワッシャ部２６の外周縁から、上方に向けて、直径が漸増しつつ立ち上がっている。この周壁部２７の肉厚は、下端から上端に向けて漸増している。周壁部２７の直径が最大である上端の肉厚が、最も厚くされている。このナットカバー２５は、鉄鋼等の金属材料から、鍛造、切削加工等によって製造されうる。上記形状及び構造を有する周壁部２７は、衝撃力等の外力に対する剛性が高い。この周壁部２７は、ナットやボルト頭を保護するとともに、石、草木等の衝突による自らの損傷を軽減しうる。
【産業上の利用可能性】
【００３４】
本考案に係る草切り刃は、種々の草刈り機に装着されうる。この草切り刃は、雑草、笹、雑木等の刈払に用いられうる。
【符号の説明】
【００３５】
１・・・草刈り機
２・・・回転アーム
３・・・刃部材
４・・・取付具
７・・・装着孔
８・・・本体部
９・・・切り刃形成部
１０・・・切り刃
１１・・・基部
１２・・・逃げ部
１３・・・（刃部材の）第一取付け孔
１４・・・（刃部材の）第一仮止め孔
１５・・・（回転アームの）第二取付け孔
１６・・・（回転アームの）第二仮止め孔
１７・・・凹所
２１・・・ボルト
２２・・・上ナット
２３・・・下ナット
２４・・・スペーサ
２５・・・ナットカバー
２６・・・（ナットカバーの）ワッシャ部
２７・・・（ナットカバーの）周壁部
３１・・・草刈り機
３２・・・回転軸
ＣＬ・・・（刃部材の）中心線
【図１】
0003178140.tif 000003
【図２】
0003178140.tif 000004
【図３】
0003178140.tif 000005
【図４】
0003178140.tif 000006
【図５】
0003178140.tif 000007